(57)【要約】【課題】システム内の全ての基地局の通信方式を一括して変更することができる無線基地局を得ること。【解決手段】ソフトウェア無線端末である複数の基地局と、前記基地局を制御する制御局と、を備える無線通信システムにおける基地局１１−Ｎであって、記憶領域番号を全ての無線基地局間で共通とし、同一の記憶領域番号の記憶領域に同一のソフトウェアを格納することとし、無線通信方式ごとに、対応するソフトウェアを互いに異なる記憶領域に記憶するための記憶装置部２４と、制御局が送信する無線基地局のうち２以上の局へ切り替えを指示する無線通信方式のソフトウェアに対応する記憶領域番号を含む無線通信方式切り替え指示を受信し、その指示に含まれる記憶領域番号に格納されているソフトウェアをロードする無線信号処理部２３と、を備える。【選択図】図２
2010218274.tif 000002
【特許請求の範囲】
【請求項１】
無線通信方式ごとに対応するソフトウェアを保持し、保持しているソフトウェアをロードすることにより送受信処理で用いる無線通信方式を変更する複数の無線基地局と、前記無線基地局を制御する制御局と、を備える無線通信システムにおける前記無線基地局であって、
記憶領域を識別するための記憶領域番号をすべての無線基地局間で共通とし、それぞれ同一の記憶領域番号の記憶領域に同一のソフトウェアを格納することとし、
無線通信方式ごとに、その無線通信方式に対応するソフトウェアを互いに異なる記憶領域に記憶するための記憶手段と、
前記制御局が送信する、前記無線基地局のうち２以上の局へ切り替えを指示する無線通信方式のソフトウェアに対応する記憶領域番号を含む無線通信方式切り替え指示を受信し、その指示に含まれる記憶領域番号に格納されているソフトウェアをロードする信号処理手段と、
を備えることを特徴とする無線基地局。
【請求項２】
前記制御局からその制御局の制御対象の全ての無線基地局へ送信された前記無線通信方式切り替え指示を受信すること特徴とする請求項１に記載の無線基地局。
【請求項３】
前記制御局から前記全ての無線基地局へ、ブロードキャストにより送信された前記無線通信方式切り替え指示を受信することを特徴とする請求項２に記載の無線基地局。
【請求項４】
前記制御局からその制御局の制御対象の一部の無線基地局へ送信された前記無線通信方式切り替え指示を受信すること特徴とする請求項１に記載の無線基地局。
【請求項５】
前記制御局から前記一部の無線基地局へマルチキャストにより送信された前記無線通信方式切り替え指示を受信することを特徴とする請求項４に記載の無線基地局。
【請求項６】
前記無線通信方式切り替え指示を受信した無線基地局は、その指示に含まれる記憶領域番号に格納されているソフトウェアをロードした場合に、切り替えが正常に完了したことを通知する切り替え正常完了通知を前記制御局へ送信し、
前記制御局は、前記切り替え正常完了通知を所定の時間内に受信できない場合に、前記無線通信方式切り替え指示を再送することを特徴とする請求項１〜５のいずれか１つに記載の無線基地局。
【請求項７】
前記制御局が、前記切り替え正常完了通知の再送回数が所定のしきい値を超えた場合に、前記切り替え正常完了通知の再送を停止することを特徴とする請求項６に記載の無線基地局。
【請求項８】
前記制御局が、切り替え先の無線通信方式に対応するソフトウェアである切り替え先ソフトウェアと、対応する格納先の記憶領域番号とをダウンロードデータとして送信し、
前記ダウンロードデータを受信した場合に、受信したダウンロードデータに含まれる記憶領域番号に、ダウンロードデータに含まれる切り替え先ソフトウェアを格納し、
前記制御局が、前記ダウンロードデータを送信した後に、前記ダウンロードデータを送信した無線基地局へ前記無線通信方式切り替え指示を送信することを特徴とする請求項１〜７のいずれか１つに記載の無線基地局。
【請求項９】
前記制御局が、前記切り替え先ソフトウェアのダウンロードを指示するダウンロード指示を２以上の無線基地局へ送信することとし、
前記ダウンロード指示を受信した場合に、前記ダウンロード指示に対する応答であるダウンロード要求を前記制御局へ送信し、
前記制御局が、前記ダウンロード要求を受信した場合に、その送信元の無線基地局へ、前記ダウンロードデータを送信することとし、
前記ダウンロードデータを受信した場合に、前記切り替え先ソフトウェアを格納した後に、ダウンロードデータを正常に受信したことを通知する正常ダウンロード完了通知を前記制御局へ送信し、
前記制御局が、前記ダウンロードデータを送信した後の無線通信方式切り替え指示の送信処理として、正常ダウンロード完了通知を受信した後に、正常ダウンロード完了通知の送信元の無線基地局へ前記無線通信方式切り替え指示を送信することを特徴とする請求項８に記載の無線基地局。
【請求項１０】
前記制御局が、前記ダウンロード要求を所定の時間内に受信できない場合に、前記ダウンロード指示を再送することを特徴とする請求項９に記載の無線基地局。
【請求項１１】
前記制御局が、前記ダウンロード指示の再送回数が所定のしきい値を超えた場合に、前記ダウンロード指示の再送を停止することを特徴とする請求項１０に記載の無線基地局。
【請求項１２】
前記制御局が、前記正常ダウンロード完了通知を所定の時間内に受信できない場合に、前記ダウンロードデータを再送することを特徴とする請求項９、１０または１１に記載の無線基地局。
【請求項１３】
前記切り替え先ソフトウェアと、対応する格納先の記憶領域番号との再送回数が所定のしきい値を超えた場合に、前記ダウンロードデータの再送を停止することを特徴とする請求項１２に記載の無線基地局。
【請求項１４】
無線通信方式ごとに対応したソフトウェアを保持し、保持しているソフトウェアをロードすることにより送受信処理で用いる無線通信方式を変更する複数の無線基地局と、前記無線基地局を制御する制御局と、を備える無線通信システムにおける無線通信方式切り替え方法であって、
前記複数の無線基地局が、記憶領域を識別する記憶領域番号を無線基地局間で共通とし、それぞれ同一の記憶領域番号の記憶領域に同一のソフトウェアを格納する場合に、
前記無線基地局が、無線通信方式ごとに、その無線通信方式に対応するソフトウェアを互いに異なる記憶領域に記憶する記憶ステップと、
前記制御局が、前記無線基地局のうち２以上の局へ、切り替えを指示する無線通信方式のソフトウェアに対応する記憶領域番号を含む無線通信方式切り替え指示を送信する切り替え指示送信ステップと、
前記無線通信方式切り替え指示を受信した無線基地局が、その指示に含まれる記憶領域番号に格納されているソフトウェアをロードする通信方式切り替えステップと、
を含むことを特徴とする無線通信方式切り替え方法。
【発明の詳細な説明】
【技術分野】
【０００１】
本発明は、搭載されるソフトウェアを書き換えることでさまざまな無線通信方法に対応するソフトウェア無線基地局とその基地局を制御する制御局とを備える無線基地局に関する。
【背景技術】
【０００２】
ソフトウェア無線では、搭載されるソフトウェアを書き換えることでさまざまな無線方式に対応する。従来のソフトウェア無線技術では、たとえば、下記特許文献１に記載されているように、ソフトウェア無線に対応する無線機（ソフトウェア無線機）が、自身のメモリに各種無線方式に対応するソフトウェアを、搭載またはダウンロードすることにより保持している。そして、ソフトウェア無線機は、常に現在の無線方式を用いた通信の通信品質を監視し、通信品質の劣化を検出する。ソフトウェア無線機は、通信品質の劣化を検出した場合に、複数の通信方式を統合して制御している統合装置へ通知する。そして、統合装置は、劣化を通知したソフトウェア無線機に対応する基地局の環境に関する情報である位置情報をそのソフトウェア無線機に送信する。ソフトウェア無線機は、受信した位置情報にもとづいて、その環境に適した新しい無線通信方式を選択し、選択した通信方式に切り替えを行なう。
【先行技術文献】
【特許文献】
【０００３】
【特許文献１】特開２００３−１０１４７４号公報
【発明の概要】
【発明が解決しようとする課題】
【０００４】
しかしながら、上記従来の技術によれば、各ソフトウェア無線機の個別の無線通信品質に基づいてそれぞれ最適な無線通信方式を選択して切り替えを実現する。そのため、システム全体で通信方式をアップグレードする場合や新規無線方式へ変更する場合などに、システムを構成する全ての無線基地局または一部の複数の無線基地局の通信方式を一括して変更することができない、という問題があった。
【０００５】
本発明は、上記に鑑みてなされたものであって、システムを構成する複数の無線基地局の通信方式を一括して変更することができる無線基地局および無線通信方式切り替え方法を得ることを目的とする。
【課題を解決するための手段】
【０００６】
上述した課題を解決し、目的を達成するために、本発明は、無線通信方式ごとに対応するソフトウェアを保持し、保持しているソフトウェアをロードすることにより送受信処理で用いる無線通信方式を変更する複数の無線基地局と、前記無線基地局を制御する制御局と、を備える無線通信システムであって、前記無線基地局は、無線通信方式ごとに、その無線通信方式に対応するソフトウェアを互いに異なる記憶領域に記憶し、前記無線基地局は、記憶領域を識別するための記憶領域番号をすべての無線基地局間で共通とし、それぞれ同一の記憶領域番号の記憶領域に同一のソフトウェアを格納することとし、前記制御局は、前記無線基地局のうち２以上の局へ、切り替えを指示する無線通信方式のソフトウェアに対応する記憶領域番号を含む無線通信方式切り替え指示を送信し、前記無線通信方式切り替え指示を受信した無線基地局は、その指示に含まれる記憶領域番号に格納されているソフトウェアをロードすることを特徴とする。
【発明の効果】
【０００７】
本発明によれば、制御局が、同一無線通信システムを構成する複数の基地局に対して記憶領域を指定して無線通信方式の切り替え指示を送信し、切り替え指示を受信した基地局は、指定された記憶領域に保持されているソフトウェアをロードして対応する無線通信方式による動作を行うようにしたので、システムを構成する複数の無線基地局の通信方式を一括して変更することができる、という効果を奏する。
【図面の簡単な説明】
【０００８】
【図１】図１は、本発明にかかる無線通信システムの実施の形態１の構成例を示す図である。
【図２】図２は、基地局の機能構成例を示す図である。
【図３】図３は、ソフトウェアダウンロードおよび無線方式切り替えの手順の一例を示す図である。
【図４】図４は、制御局のダウンロード動作の一例を示すフローチャートである。
【図５】図５は、基地局のダウンロード動作の一例を示すフローチャートである。
【図６】図６は、制御局の無線通信方式の切り替え動作の一例を示すフローチャートである。
【図７】図７は、基地局の無線通信方式の切り替え動作の一例を示すフローチャートである。
【図８】図８は、一斉ダウンロードを行う手順の一例を示すチャート図である。
【発明を実施するための形態】
【０００９】
以下に、本発明にかかる無線基地局および無線通信方式切り替え方法の実施の形態を図面に基づいて詳細に説明する。なお、この実施の形態によりこの発明が限定されるものではない。
【００１０】
実施の形態１．
図１は、本発明にかかる無線通信システムの実施の形態１の構成例を示す図である。図１に示すように、本実施の形態の無線通信システムは、電波を送信および受信する送受信アンテナ１０−１〜１０−Ｎ（Ｎは２以上の整数）と、送受信アンテナ１０−１〜１０−Ｎに１対１に接続され、接続された送受信アンテナ１０−１〜１０−Ｎの受信信号を復調し、また送信信号を変調して送受信アンテナ１０−１〜１０−Ｎに出力する基地局１１−１〜１１−Ｎと、基地局１１−１〜１１−Ｎを制御する制御局１２と、で構成される。基地局１１−１〜１１−Ｎと制御局１２は、光ファイバーなどの有線により接続されており、制御局１２は、基地局１１−１〜１１−Ｎへのソフトウェアのダウンロードや機能切り替え指示などを行う。なお、ここでは、基地局１１−ｉは、送受信アンテナ１０−ｉに接続され、基地局１１−ｉが送受信アンテナ１０−ｉを含まない構成としているが、基地局１１−ｉが送受信アンテナ１０−ｉを備える構成としてもよい。
【００１１】
図２は、基地局１１−Ｎの機能構成例を示す図である。図２では、基地局１１−Ｎを例にしているが、基地局１１−１〜１１−Ｎはいずれも同様の構成である。基地局１１−Ｎは、ＲＦ（Radio  Frequency）フロントエンド部２１，ＡＤ（Analog  Digital）／ＤＡ（Digital  Analog）変換部２２，無線信号処理部２３，記憶装置部２４で構成される。
【００１２】
ＲＦフロントエンド部２１は、バンドパスフィルタ，低雑音増幅器，ダウンコンバータ，アップコンバータで構成され、受信時には送受信アンテナ１０−Ｎからの受信信号を増幅し、バンドパスフィルタが増幅後の信号をフィルタリングし、フィルタリング後の信号をダウンコンバートしＡＤ／ＤＡ変換部２２に送出する。送信時には、ＡＤ／ＤＡ変換部２２からの入力される送信信号をアップコンバートし、バンドパスフィルタがアップコンバート後の送信信号をフィルタリングし、フィルタリング後の送信信号を増幅して送受信アンテナ１０−Ｎに送出する。
【００１３】
ＡＤ／ＤＡ変換部２２は、アナログディジタル変換器（Ａ／Ｄ）とディジタルアナログ変換器（Ｄ／Ａ）で構成され、受信時にはＲＦフロントエンド部２１から入力される信号をアナログディジタル変換し受信ディジタル信号として無線信号処理部２３に送出する。送信時には無線信号処理部２３から入力される信号をディジタルアナログ変換し、ＲＦフロントエンド部２１へ送出する。
【００１４】
無線信号処理部２３は、ＦＰＧＡ（Field  Programmable  Gate  Array）などのリコンフィギャラブルデバイスやＤＳＰ（Digital  Signal  Processor）などのプロセッサで構成され、記憶装置部２４から読み込むソフトウェアに基づいてその処理内容を変更できる。受信時にはＡＤ／ＤＡ変換部２２から入力される受信ディジタル信号に対してベースバンド周波数へのダウンコンバートおよび復調処理を行い復調データを送出する。送信時には送信データに対し変調処理を行った後にアップコンバートを行い送信信号としてＡＤ／ＤＡ変換部２２へ送出する。
【００１５】
上記のように無線信号処理部２３は記憶装置部２４からソフトウェアを読み込み、読み込んだソフトウェアで定義された無線信号処理を実現する。無線信号処理部２３は有線ネットワーク経由で制御局１２に接続されており、必要な場合には、制御局１２からソフトウェアをダウンロードし、ダウンロードしたソフトウェアを記憶装置部２４に格納する。
【００１６】
記憶装置部２４は、無線信号処理部２３へ供給するためのソフトウェアを格納するための記憶手段である。記憶装置部２４は、複数の無線方式のそれぞれに対応するソフトウェアを保持するため、無線方式ごとに記憶領域２５−１，２５−２を備えている。なお、図２では、記憶領域２５−１，２５−２の２つの領域を例示しているが、記憶領域の数は、これに限らず、想定される無線方式の数に応じて定めればよい。
【００１７】
つづいて、本実施の形態の基地局１１−１〜１１−Ｎのソフトウェアダウンロードおよび通信方式切り替え動作について説明する。図３は、ソフトウェアダウンロードおよび無線方式切り替えの手順の一例を示す図である。ここでは、制御局１２が制御を行う対象の基地局を２つ（基地局１１−１，１１−２）とした場合について説明する。
【００１８】
制御局１２は、新たな無線通信方式に切り替えるために、その無線通信方式に対応するソフトウェアを各基地局へダウンロードする場合、まず、基地局１１−１へソフトウェアダウンロードを指示するソフトウェアダウンロード指示を送信する（ステップＳ１）。基地局１１−１は、ソフトウェアダウンロード指示を受信すると、その指示に基づいて制御局１２へソフトウェアダウンロード要求を送信する（ステップＳ２）。
【００１９】
制御局１２は、基地局１１−１からソフトウェアダウンロード要求を受信すると、基地局１１−１へ切り替え後の無線通信方式に対応するソフトウェアのダウンロードデータを送信する（ステップＳ３）。この際、制御局１２は基地局１１−１へダウンロードデータとともにそのソフトウェアを格納する記憶装置の記憶領域の番号を指示する。基地局１１−１は、送信されたダウンロードデータを制御局１２から指示された記憶領域（ここでは、たとえば、記憶領域２５−２とする）へ格納し、正常にダウンロードできたことを通知する正常ダウンロード完了情報を制御局１２へ送信する（ステップＳ４）。
【００２０】
制御局１２は、正常ダウンロード完了情報を受信すると、基地局１１−１へのソフトウェアダウンロードの処理を完了し、続いて基地局１１−２に対しても、基地局１１−１との間でステップＳ１〜ステップＳ４で行った処理と同様の処理をステップＳ５〜ステップＳ８で実施し、基地局１１−２に対するソフトウェアのダウンロードを行う。
【００２１】
基地局１１−１，１１−２へのソフトウェアのダウンロードが完了すると、制御局１２は、基地局１１−１，１１−２へ無線通信方式の切り替え指示を送信する（ステップＳ９）。基地局１１−１，１１−２は、無線通信方式の切り替え指示を受信し、切り替え動作を実施すると、無線通信方式切り替え完了情報を制御局１２へ送信する（ステップＳ１０）。ここでは、基地局１１−１，１１−２を無線通信方式の切り替え対象としたが、すべての基地局を切り替えの対象とする場合には、ステップＳ１〜ステップＳ４と同様の処理を全ての基地局について実施し、すべての基地局がソフトウェアのダウンロードを完了してから、制御局１２が無線通信方式の切り替えを各基地局へ一斉に指示する。制御局１２は、切り替え完了情報を受信すると、無線通信方式切り替え処理を完了する。
【００２２】
つぎに、制御局１２および基地局１１−１〜１１−Ｎのソフトウェアのダウンロード動作について詳細に説明する。図４は、制御局１２のダウンロード動作の一例を示すフローチャートである。図５は、基地局１１−１〜１１−Ｎのダウンロード動作の一例を示すフローチャートである。
【００２３】
制御局１２は、ソフトウェアダウンロード指示を行うか否かを判断し（ステップＳ１１）、ソフトウェアダウンロード指示を行うと判断した場合（ステップＳ１１  Ｙｅｓ）、ダウンロードの対象となる基地局１１−ｉ（ｉ＝１〜Ｎ）へソフトウェアダウンロード指示を送信する（ステップＳ１２）。このとき、たとえばソフトウェアが更新された場合や、新たな通信方式へ切り替えが必要な場合などに、ダウンロード指示を行うと判断する。ソフトウェアダウンロード指示を行わないと判断した場合（ステップＳ１１  Ｎｏ）は、そのまま処理を終了する。
【００２４】
ステップＳ１２でソフトウェアダウンロード指示を送信した後に、基地局１１−ｉからソフトウェアダウンロード要求を受信したか否かを判断し（ステップＳ１３）、ソフトウェアダウンロード要求を受信していない場合（ステップＳ１３  Ｎｏ）は、ソフトウェアダウンロード指示を送信した回数が所定の設定再送回数以内かを判断する（ステップＳ１６）。設定再送回数を超えていると判断した場合（ステップＳ１６  Ｎｏ）には、処理を終了する。また、設定再送回数以内であると判断した場合（ステップＳ１６  Ｙｅｓ）は、ステップＳ１２へ戻る。
【００２５】
また、ステップＳ１３で、ソフトウェアダウンロード要求を受信したと判断した場合（ステップＳ１３  Ｙｅｓ）は、基地局１１−ｉへソフトウェアのダウンロードデータを送信する（ステップＳ１４）。そして、制御局１２は、基地局１１−ｉからの正常ダウンロード完了情報を受信したか否かを判断し（ステップＳ１５）、受信していないと判断した場合（ステップＳ１５  Ｎｏ）は、ソフトウェアダウンロード指示を送信した回数が設定再送回数以内かを判断する（ステップＳ１６）。設定再送回数を超えていると判断した場合（ステップＳ１６  Ｎｏ）は、処理を終了し、設定再送回数以内であると判断した場合（ステップＳ１６  Ｙｅｓ）は、ステップＳ１２に戻る。
【００２６】
また、ステップＳ１５で基地局１１−ｉから正常ダウンロード完了情報を受信したと判断した場合（ステップＳ１５  Ｙｅｓ）には、処理を終了する。以上の処理を無線通信方式の切り替え対象の全ての基地局１１−１〜１１−Ｎに対してそれぞれ実施する。
【００２７】
つぎに基地局１１−ｉのダウンロード動作について説明する。以降の基地局１１−ｉのダウンロード動作は、基地局１１−ｉの無線信号処理部２３が行うこととする。基地局１１−ｉは、制御局１２からソフトウェアダウンロード指示を受信したか否かを判断し（ステップＳ２１）、受信したと判断した場合（ステップＳ２１  Ｙｅｓ）は、制御局１２へソフトウェアダウンロード要求を送信する（ステップＳ２２）。ソフトウェアダウンロード指示を受信していないと判断した場合（ステップＳ２１  Ｎｏ）は、そのまま処理を終了する。
【００２８】
基地局１１−ｉは、ソフトウェアダウンロード要求を送信後、制御局１２から送信されるソフトウェア（ダウンロードデータ）をダウンロードし、また、制御局１２から同時に指示された記憶領域の番号に対応する記憶領域２５−ｊ（ｊ＝１，２）にそのソフトウェアを格納する（ステップＳ２３）。そして、基地局１１−ｉは、正常にダウンロードできたかを判断し（ステップＳ２４）、正常にダウンロードできていないと判断した場合（ステップＳ２４  Ｎｏ）は、そのまま処理を終了する。一方、正常にダウンロードできたと判断した場合（ステップＳ２４  Ｙｅｓ）には、制御局１２に正常ダウンロード完了情報を送信し（ステップＳ２５）、ダウンロード動作を完了する。
【００２９】
つづいて、制御局１２，基地局１１−ｉの無線通信方式の切り替え動作について説明する。図６は、制御局１２の無線通信方式の切り替え動作の一例を示すフローチャートである。図７は、基地局１１−ｉの無線通信方式の切り替え動作の一例を示すフローチャートである。
【００３０】
まず、制御局１２は、基地局１１−１〜１１−Ｎに無線通信方式の切り替え指示を行うか否かを判断し（ステップＳ３１）、切り替え指示を行うと判断した場合（ステップＳ３１  Ｙｅｓ）は、基地局１１−１〜１１−Ｎへ無線通信方式の切り替え指示を送信する（ステップＳ３２）。このとき、無線通信方式の切り替え指示には、切り替え後の通信方式に対応するソフトウェアが格納されている記憶領域を識別するための番号が含まれていることとする。無線通信方式の切り替えを行わないと判断した場合（ステップＳ３１  Ｎｏ）には、そのまま処理を終了する。
【００３１】
制御局１２は、基地局１１−１〜１１−Ｎへ無線通信方式の切り替え指示を送信すると、その切り替え指示を送信した全ての基地局１１−１〜１１−Ｎから無線通信方式切り替え正常終了情報を受信したか否かを判断する（ステップＳ３３）。無線通信方式切り替え正常終了情報を受信できていない基地局１１−１〜１１−Ｎがあると判断した場合（ステップＳ３３  Ｎｏ）は、切り替え指示の送信回数が所定の設定再送回数以内かを判断する（ステップＳ３４）。設定再送回数を超えていると判断した場合（ステップＳ３４  Ｎｏ）には、処理を終了し、設定再送回数以内であると判断した場合（ステップＳ３４  Ｙｅｓ）は、ステップＳ３２に戻る。ステップＳ３３で、切り替え指示を送信した全ての基地局１１−１〜１１−Ｎから正常終了情報を受信したと判断した場合（ステップＳ３３  Ｙｅｓ）には、無線通信方式の切り替え処理を完了する。
【００３２】
一方、基地局１１−ｉは、制御局１２から無線通信方式の切り替え指示を受信したか否かを判断し（ステップＳ４１）、切り替え指示を受信していないと判断した場合（ステップＳ４１  Ｎｏ）は、そのまま処理を終了する。無線通信方式の切り替え指示を受信したと判断した場合（ステップＳ４１  Ｙｅｓ）は、制御局１２から指定された記憶領域からソフトウェアを読み出すことによりロードし（ステップＳ４２）、ロードした新ソフトウェアでの無線信号の変復調処理を開始する（ステップＳ４３）。そして、制御局１２へ方式変更完了情報を送信し（ステップＳ４４）、無線通信方式の切り替え処理を完了する。なお、ここでは、無線通信方式の正常終了情報として方式変更完了情報を送信することとした。
【００３３】
なお、以上の説明では、基地局ごとに個別にソフトウェアダウンロードする場合について説明したが、全ての基地局に対して一斉にダウンロードするようにしてもよい。図８は、一斉ダウンロードを行う手順の一例を示すチャート図である。図８は、基地局数が２つの例を示している。制御局１２は、基地局１１−１，１１−２へソフトウェアダウンロードを指示するソフトウェアダウンロード指示を送信する（ステップＳ５１）。この際、制御局１２は基地局１１−１，１１−２へダウンロードデータとともにそのソフトウェアを格納する記憶装置の記憶領域の番号を指示する。基地局１１−１，１１−２は、ソフトウェアダウンロード指示を受信すると、その指示に基づいて制御局１２へソフトウェアダウンロード要求をそれぞれ送信する（ステップＳ５２）。ダウンロード要求を受信した制御局１４は、ダウンロードデータをそのダウンロードデータを格納する記憶領域の指示とともに無線端末１１−１，１１−２へ送信する（ステップＳ５３）。基地局１１−１，１１−２は、それぞれ、送信されたダウンロードデータを制御局１２からの指示された記憶領域へ格納し、正常にダウンロードできたことを通知する正常ダウンロード完了情報を制御局１２へ送信する（ステップＳ５４）。以降のステップＳ５５，５６は、それぞれステップＳ９，Ｓ１０と同様である。
【００３４】
図８の例が、図３に示した個別ダウンロードと異なる点は、制御局１２からのソフトウェアダウンロード指示を複数の基地局にブロードキャスト等により一斉に送信し、一斉にダウンロードを実施する点である。また、ブロードキャストによりすべての基地局に対してソフトウェアダウンロード指示を送信してもよいし、特定の複数の基地局への同時ダウンロードを行う場合には、マルチキャストを用いてダウンロードを実現してもよい。同様に、無線通信方式の指示をブロードキャストまたはマルチキャストで送信するようにしてもよい。
【００３５】
また、ここでは、無線通信方式の切り替えを全ての基地局に対して一斉に行う場合について説明したが、基地局ごとに個別に無線方式の切り替え指示を行うようにしてもよい。また、特定の複数の基地局に対して一斉に無線通信方式の切り替えを行うようにしてもよい。
【００３６】
なお、本実施の形態では、無線通信方式の切り替えの前に、基地局１１−ｉが、切り替える無線通信方式に対応するソフトウェアを制御局１２からダウンロードするようにしたが、ダウンロード以外の方法で基地局１１−ｉが保持しているソフトウェアについて、切り替え指示を行うようにしてもよい。たとえば、あらかじめ記憶装置部２４の特定の記憶領域２５−ｊにソフトウェアが格納されている場合や、他の媒体などにより基地局にソフトウェアが格納されている場合に、そのソフトウェアに対応する記憶領域の番号を指定する無線通信方式の切り替え指示を送信することにより、基地局１１−ｉが、格納しているソフトウェアをロードするようにしてもよい。この際、各基地局では、同一番号の記憶領域には同一のソフトウェアを格納しておくこととする。
【００３７】
以上のように、本実施の形態では、制御局１２が、同一無線通信システムを構成する複数の基地局に対して無線通信方式ごとに記憶領域を指定してソフトウェアのダウンロードを指示し、基地局が、指定された記憶領域に対応するソフトウェアを保持し、制御局１２は、記憶領域を指定して無線通信方式の切り替え指示を複数の基地局に対して送信し、切り替え指示を受信した基地局は、指定された記憶領域に保持されているソフトウェアをロードして対応する無線通信方式による動作を行うようにした。そのため、同一無線通信システムを構成する複数の基地局の通信方式を一括して変更することができる。また、同一周波数を用いたサービス・無線方式切り替えの際に、全ての基地局の一斉切り替えを行うことができる。
【産業上の利用可能性】
【００３８】
以上のように、本発明にかかる無線基地局および無線通信方式切り替え方法は、ソフトウェア無線基地局とその基地局を制御する制御局とを備える無線通信システムに有用であり、特に、複数のソフトウェア無線基地局を備える無線通信システムに適している。
【符号の説明】
【００３９】
１０−１〜１０−Ｎ  送受信アンテナ
１１−１〜１１−Ｎ  基地局
１２  制御局
２１  ＲＦフロントエンド部
２２  ＡＤ／ＤＡ変換部
２３  無線信号処理部
２４  記憶装置部
【図１】
2010218274.tif 000003
【図２】
2010218274.tif 000004
【図３】
2010218274.tif 000005
【図４】
2010218274.tif 000006
【図５】
2010218274.tif 000007
【図６】
2010218274.tif 000008
【図７】
2010218274.tif 000009
【図８】
2010218274.tif 000010